(57)【要約】【課題】  膨大な辞書データをあらかじめ保持しておくことなく、リアルタイムに最新の文字や用語を入力候補として取得する文字入力装置を提供する。【解決手段】  ネットワークに接続可能な携帯端末装置１１に備えられる文字入力を行う文字入力装置３０は、入力された入力文字又は文字候補から選択された文字に基づいて、ネットワーク上の所定の検索エンジンを用いて検索する文字候補検索部４１と、文字候補検索部４１による検索結果から、入力文字の変換候補となる文字候補又は選択された文字の次に続くと予想される文字候補を取得する文字候補取得部４２を含む【選択図】  図１
2009223782.tif 000002
【特許請求の範囲】
【請求項１】
ネットワークに接続可能な携帯端末装置に備えられる文字入力を行う文字入力装置であって、
入力された入力文字又は文字候補から選択された文字に基づいて、前記ネットワーク上の所定の検索エンジンを用いて検索する文字候補検索手段と、
前記文字候補検索手段による検索結果から、前記入力文字の変換候補となる文字候補又は前記選択された文字の次に続くと予想される文字候補を取得する文字候補取得手段を備えることを特徴とする文字入力装置。
【請求項２】
前記文字候補取得手段は、前記文字候補検索手段による検索結果から、検索スコア順に所定数の前記文字候補を取得し、表示部の候補表示領域に選択可能に表示することを特徴とする請求項１に記載の文字入力装置。
【請求項３】
検索の元となる前記入力文字又は選択された文字と、検索により取得した前記文字候補から選択された文字候補を対応付けて登録する候補用データベースを備え、
検索の元となる前記入力文字又は選択された文字に対応付けられた文字候補が、前記候補用データベースに存在する場合、前記検索エンジンによる検索を行わす、前記文字候補を前記候補用データベースから取得することを特徴とする請求項１又は請求項２に記載の文字入力装置。
【請求項４】
前記文字候補取得手段は、検索により取得した前記文字候補から選択された文字候補が前記候補用データベースに存在しない場合、検索の元となる前記入力文字又は選択された文字と、検索により取得した前記文字候補から選択された文字候補を対応付けて前記候補用データベースに登録することを特徴とする請求項３に記載の文字入力装置。
【請求項５】
前記入力された入力文字又は文字候補から選択された文字に基づいて、文字候補の検索を行う検索エンジンの種類を予め設定した検索エンジン設定部を備え、
前記文字候補検索手段は、前記検索エンジン設定部に設定された検索エンジンを用いて前記文字候補の検索を行うことを特徴とする請求項１から請求項４の何れかに記載の文字入力装置。
【請求項６】
前記検索エンジン設定部には、複数の検索エンジンを優先度を付けて設定することを特徴とする請求項５に記載の文字入力装置。
【請求項７】
文字入力を行う文字入力装置を備える、ネットワークに接続可能な携帯端末装置であって、
前記文字入力装置が、
入力された入力文字又は文字候補から選択された文字に基づいて、前記ネットワーク上の所定の検索エンジンを用いて検索する文字候補検索手段と、
前記文字候補検索手段による検索結果から、前記入力文字の変換候補となる文字候補又は前記選択された文字の次に続くと予想される文字候補を取得する文字候補取得手段を備えることを特徴とする携帯端末装置。
【請求項８】
前記文字入力装置の前記文字候補取得手段は、前記文字候補検索手段による検索結果から、検索スコア順に所定数の前記文字候補を取得し、表示部の候補表示領域に選択可能に表示することを特徴とする請求項７に記載の携帯端末装置。
【請求項９】
前記文字入力装置が、
検索の元となる前記入力文字又は選択された文字と、検索により取得した前記文字候補から選択された文字候補を対応付けて登録する候補用データベースを備え、
検索の元となる前記入力文字又は選択された文字に対応付けられた文字候補が、前記候補用データベースに存在する場合、前記検索エンジンによる検索を行わす、前記文字候補を前記候補用データベースから取得することを特徴とする請求項７又は請求項８に記載の携帯端末装置。
【請求項１０】
前記文字入力装置の前記文字候補取得手段は、検索により取得した前記文字候補から選択された文字候補が前記候補用データベースに存在しない場合、検索の元となる前記入力文字又は選択された文字と、検索により取得した前記文字候補から選択された文字候補を対応付けて前記候補用データベースに登録することを特徴とする請求項９に記載の携帯端末装置。
【請求項１１】
前記文字入力装置が、
前記入力された入力文字又は文字候補から選択された文字に基づいて、文字候補の検索を行う検索エンジンの種類を予め設定した検索エンジン設定部を備え、
前記文字候補検索手段は、前記検索エンジン設定部に設定された検索エンジンを用いて前記文字候補の検索を行うことを特徴とする請求項７から請求項１０の何れかに記載の携帯端末装置。
【請求項１２】
前記検索エンジン設定部には、複数の検索エンジンを優先度を付けて設定することを特徴とする請求項１１に記載の携帯端末装置。
【請求項１３】
ネットワークに接続可能な携帯端末装置の文字入力方法であって、
入力された入力文字又は文字候補から選択された文字に基づいて、前記ネットワーク上の所定の検索エンジンを用いて検索する文字候補検索ステップと、
前記文字候補検索ステップによる検索結果から、前記入力文字の変換候補となる文字候補又は前記選択された文字の次に続くと予想される文字候補を取得する文字候補取得ステップを含むことを特徴とする文字入力方法。
【請求項１４】
前記文字候補取得ステップにおいて、前記文字候補検索ステップの検索結果から、検索スコア順に所定数の前記文字候補を取得し、表示部の候補表示領域に選択可能に表示することを特徴とする請求項１３に記載の文字入力方法。
【請求項１５】
検索の元となる前記入力文字又は選択された文字と、検索により取得した前記文字候補から選択された文字候補を対応付けて候補用データベースに登録し、
検索の元となる前記入力文字又は選択された文字に対応付けられた文字候補が、前記候補用データベースに存在する場合、前記検索エンジンによる検索を行わす、前記文字候補を前記候補用データベースから取得することを特徴とする請求項１３又は請求項１４に記載の文字入力方法。
【請求項１６】
前記文字候補取得ステップは、検索により取得した前記文字候補から選択された文字候補が前記候補用データベースに存在しない場合、検索の元となる前記入力文字又は選択された文字と、検索により取得した前記文字候補から選択された文字候補を対応付けて前記候補用データベースに登録することを特徴とする請求項１５に記載の文字入力方法。
【請求項１７】
前記入力された入力文字又は文字候補から選択された文字に基づいて、文字候補の検索を行う検索エンジンの種類を予め検索エンジン設定部に設定し、
前記文字候補検索ステップにおいて、前記検索エンジン設定部に設定された検索エンジンを用いて前記文字候補の検索を行うことを特徴とする請求項１３から請求項１６の何れかに記載の文字入力方法。
【請求項１８】
前記検索エンジン設定部には、複数の検索エンジンを優先度を付けて設定することを特徴とする請求項１７に記載の文字入力方法。
【請求項１９】
ネットワークに接続可能な携帯端末装置上で文字入力を行うためのプログラムであって、
前記携帯端末装置に、
入力された入力文字又は文字候補から選択された文字に基づいて、前記ネットワーク上の所定の検索エンジンを用いて検索する文字候補検索処理と、
前記文字候補検索手段による検索結果から、前記入力文字の変換候補となる文字候補又は前記選択された文字の次に続くと予想される文字候補を取得する文字候補取得処理を実行させることを特徴とするプログラム。
【請求項２０】
前記文字候補取得処理において、前記文字候補検索処理の検索結果から、検索スコア順に所定数の前記文字候補を取得し、表示部の候補表示領域に選択可能に表示することを特徴とする請求項１３に記載のプログラム。
【請求項２１】
検索の元となる前記入力文字又は選択された文字と、検索により取得した前記文字候補から選択された文字候補を対応付けて候補用データベースに登録し、
検索の元となる前記入力文字又は選択された文字に対応付けられた文字候補が、前記候補用データベースに存在する場合、前記検索エンジンによる検索を行わす、前記文字候補を前記候補用データベースから取得することを特徴とする請求項１９又は請求項２０に記載のプログラム。
【請求項２２】
前記文字候補取得処理は、検索により取得した前記文字候補から選択された文字候補が前記候補用データベースに存在しない場合、検索の元となる前記入力文字又は選択された文字と、検索により取得した前記文字候補から選択された文字候補を対応付けて前記候補用データベースに登録することを特徴とする請求項２１に記載のプログラム。
【請求項２３】
前記入力された入力文字又は文字候補から選択された文字に基づいて、文字候補の検索を行う検索エンジンの種類を予め検索エンジン設定部に設定し、
前記文字候補検索処理において、前記検索エンジン設定部に設定された検索エンジンを用いて前記文字候補の検索を行うことを特徴とする請求項１９から請求項２２の何れかに記載のプログラム。
【請求項２４】
前記検索エンジン設定部には、複数の検索エンジンを優先度を付けて設定することを特徴とする請求項２３に記載のプログラム。
【発明の詳細な説明】
【技術分野】
【０００１】
本発明は、携帯電話機等の携帯端末装置において文字入力を行うための文字入力装置、文字入力方法及びそのプログラムに関する。
【背景技術】
【０００２】
携帯電話機、ＰＨＳ（Personal
Handyphone System）、ＰＤＡ（Personal Data Assistance,Personal Digital Assistants：個人向け携帯型情報通信機器）等の携帯端末装置の多くは、電子メールを送るなどの目的のための文字入力を行う機能を備えている。
【０００３】
このような携帯端末装置等の文字入力機能においては、ユーザによって入力された文字から予測される複数の入力候補の一覧を表示する際、携帯電話端末内に保持した辞書データベースから複数の入力候補を検索し、検索された入力候補を選択可能に表示する方式が一般的である。
【０００４】
また、携帯端末装置のメーカ−が用意した辞書データをユーザがダウンロードして追加することにより、内蔵する辞書データを更新することも可能となっている。
【０００５】
この種の関連技術として、例えば、特許文献１には、携帯端末装置等において、ネットワークを介して辞書データを自動的にダウンロードして辞書登録システムが開示されている。
【特許文献１】特開２００４−７８６６４号公報
【発明の開示】
【発明が解決しようとする課題】
【０００６】
一般的な携帯電話機等の携帯端末装置の辞書データベースに格納されている選択候補は、携帯端末装置の購入時から登録されている選択候補であって、情報として最新の情報であるとは言い難く、辞書データベースに登録されていない最新の用語などを用いて文書を作成したい場合に、文字入力に非常に手間取るという問題があった。
【０００７】
また、上記のように、携帯端末装置のメーカ−が用意した辞書データをユーザがダウンロードして追加することにより、内蔵する辞書データを更新することも可能となっているが、常に辞書データを最新に保つためには、ユーザが頻繁に辞書データが置かれたサイトにアクセスし、辞書データをダウンロードして更新するといった作業が必要となり、非常に煩わしいものであった。
【０００８】
さらに、上記のようにデータをダウンロードして辞書データを更新する場合でも、携帯端末装置のような小型機器では、辞書データの容量に制限があることから、追加することができる情報にも限りがあるという問題もある。
【０００９】
また、特許文献１に記載の関連技術においては、辞書データをネットワークを介して自動的にダウンロードして使用するものであるが、上述したように、辞書データの容量の制限から、追加することができる辞書データに限りがあるという問題を有している。
【００１０】
（発明の目的）
本発明の目的は、膨大な辞書データをあらかじめ保持しておくことなく、リアルタイムに最新の文字や用語を入力候補として取得することができる文字入力装置、携帯端末装置、文字入力方法及びそのプログラムを提供することにある。
【課題を解決するための手段】
【００１１】
本発明による文字入力装置は、ネットワークに接続可能な携帯端末装置に備えられる文字入力を行う文字入力装置であって、入力された入力文字又は文字候補から選択された文字に基づいて、ネットワーク上の所定の検索エンジンを用いて検索する文字候補検索手段と、文字候補検索手段による検索結果から、入力文字の変換候補となる文字候補又は選択された文字の次に続くと予想される文字候補を取得する文字候補取得手段を含む。
【００１２】
本発明による携帯端末装置は、文字入力を行う文字入力装置を備える、ネットワークに接続可能な携帯端末装置であって、文字入力装置が、入力された入力文字又は文字候補から選択された文字に基づいて、ネットワーク上の所定の検索エンジンを用いて検索する文字候補検索手段と、文字候補検索手段による検索結果から、入力文字の変換候補となる文字候補又は選択された文字の次に続くと予想される文字候補を取得する文字候補取得手段を含む。
【００１３】
本発明による文字入力方法は、ネットワークに接続可能な携帯端末装置の文字入力方法であって、入力された入力文字又は文字候補から選択された文字に基づいて、ネットワーク上の所定の検索エンジンを用いて検索する文字候補検索ステップと、文字候補検索ステップによる検索結果から、入力文字の変換候補となる文字候補又は選択された文字の次に続くと予想される文字候補を取得する文字候補取得ステップを含む。
【００１４】
本発明によるプログラムは、ネットワークに接続可能な携帯端末装置上で文字入力を行うためのプログラムであって、携帯端末装置に、入力された入力文字又は文字候補から選択された文字に基づいて、ネットワーク上の所定の検索エンジンを用いて検索する文字候補検索処理と、文字候補検索手段による検索結果から、入力文字の変換候補となる文字候補又は選択された文字の次に続くと予想される文字候補を取得する文字候補取得処理を実行させる。
【発明の効果】
【００１５】
本発明によれば、膨大な辞書データをあらかじめ保持しておくことなく、リアルタイムに最新の文字や用語を入力候補として取得することが可能となる。
【発明を実施するための最良の形態】
【００１６】
次に、本発明の実施の形態について図面を参照して詳細に説明する。
【００１７】
（第１の実施の形態）
図１は、本発明の第１の実施の形態による携帯端末装置の構成を示すブロック図である。
【００１８】
本実施の形態による携帯電話機等の携帯端末装置１１は、ＣＰＵ１２を搭載しており、バス１３を介して装置内の各部と接続されている。
【００１９】
ＲＯＭ１４は、ＣＰＵ１２が実行するための各種の制御用プログラムやかな文字変換等に使用される仮名漢字変換用辞書等の固定的なデータを格納したリード・オンリ・メモリである。
【００２０】
作業用メモリ１５は、ＲＡＭ（Ｒａｎｄｏｍ  Ａｃｃｅｓｓ  Ｍｅｍｏｒｙ）によって構成されており、ＣＰＵ１２がプログラムを実行する上で一時的に必要とされるデータを格納するようになっている。インターネットを介して取得した情報も、この作業用メモリ１５の所定の領域に格納される。
【００２１】
候補用メモリ１６は、インターネットから検索して入手した文字候補を記憶するメモリであり、不揮発性メモリで構成されている。
【００２２】
送受信部１７は、無線又は有線によってデータの送受信を行う回路であり、この送受信部１７を介してインターネット等のネットワークに接続し、ネットワーク上の検索エンジン（例えば、辞書検索エンジン等）を利用して文字入力の候補を入手する。
【００２３】
表示制御部１８は、表示部１９の表示を制御する制御回路である。表示部１９は、文字入力候補などを表示する文字入力用の画面や、携帯端末装置１１の有する機能に応じてその他の情報を表示する液晶表示等の表示装置である。
【００２４】
キー入力部１９は、ユーザが携帯端末装置１１に対して文字、記号やその他のコマンド等をキー入力するための入力手段である。
【００２５】
候補用データベース２１は、文字入力に際してユーザが実際に選択を行った文字候補を保存するデータベースであり、磁気ディスク、半導体メモリ等の不揮発性メモリから構成される。
【００２６】
次いで、携帯端末装置１１が備える文字入力装置３０について図２を参照して説明する。
【００２７】
この文字入力装置３０は、ＲＯＭ１４に格納される文字入力用のプログラムである文字入力プログラムを、ＣＰＵ１に実行することによりソフトウェア的に実現される変換処理部４０と、候補用メモリ１６と、候補用データベース２１と、ＲＯＭ１４に格納された仮名漢字変換用辞書５０とを含む。
【００２８】
変換処理部４０は、文字候補検索部４１と、文字候補取得部４２と、文字候補選択部４３を備えて構成される。
【００２９】
文字候補検索部４１は、入力された仮名文字や確定された文字に基づいて、送受信部１７を通じてインターネット（ネットワーク）上の所定の検索エンジンを利用して、仮名文字の変換候補となる文字候補や、選択決定された文字に続くと予想される文字候補を検索して入手する。
【００３０】
文字候補取得部４２は、インターネット上の検索エンジを利用して入手した文字候補のうち、検索スコア順で定まる候補ランキングの上位から予め定められた数の文字候補を取得する。
【００３１】
文字候補選択部４３は、前回の入力された文字と同じ文字が入力された場合、候補用データベース２１に格納された文字候補から選択して取得する機能を有する。
【００３２】
（第１の実施の形態による動作）
以下、上記のように構成される第１の実施の形態による携帯端末装置１１による文字入力における動作について図面を参照して説明する。
【００３３】
図３は、携帯端末装置１１による文字入力における動作を示すフローチャート、図４は文字入力時の表示部１９における表示例を示す図である。
【００３４】
携帯端末装置１１のユーザは、文字入力の機能として、インターネット上の検索エンジを利用して入力を行うことを許可する、予測変換機能をＯＮとする（ステップＳ２０１）。
【００３５】
この予測変換機能を利用しない場合には、これまで通りの仮名漢字変換用辞書５０を利用した文字入力を行う。この場合の文字入力についてこの技術分野で一般的な技術であるので説明は省略する。
【００３６】
文字入力の際に表示部１９に表示される文字入力を行うための文字入力画面は、図４の（Ａ）に示すように、ユーザがキー入力部２０から入力した仮名文字などの文字を表示すると共に、文字候補から選択決定した文字を表示する入力表示領域（ａ）と、文字候補を表示する候補表示領域（ｂ）と、候補用データベース２１から取得した文字候補を表示する選択文字領域（ｃ）に分かれている。
【００３７】
ユーザによってキー入力部２０から仮名文字などの文字が入力されると（ステップＳ２０２）、その文字が入力表示領域（ａ）に表示される。図４の（Ａ）では、「き」という仮名文字が入力された状態を示している。
【００３８】
最初の文字の入力が行われると、文字候補選択部４３は、入力された文字に対応付けられた文字候補が候補用データベース２１に存在するかどうかを判別する（ステップＡＳ２０３）。
【００３９】
存在しない場合、文字候補検索部４１が、入力された当該文字を元にインターネット上の所定の検索エンジンを利用して、文字候補を検索する（ステップＳ２０４）。文字候補検索部４１は、検索エンジンの検索によって入手した文字候補を文字候補取得部４２に送る。
【００４０】
文字候補取得部４２は、文字候補検索部４１から送られた文字候補のうち、検索スコア順で定まる候補ランキングの上位から予め定められた数の文字候補を取得する（ステップＳ２０５）。
【００４１】
図４に示す例の場合、「き」という仮名を読み仮名に有する文字候補のうち、候補ランキングの上位から所定数の文字候補が取得される。
【００４２】
また、文字候補取得部４２は、取得した文字候補を、候補用メモリ１６に格納する（ステップＳ２０６）と共に、表示制御部１８を介して表示部１９の候補表示領域（ｂ）に、取得した文字候補を表示する（ステップＳ２０７）。
【００４３】
図４の（Ａ）では、「き」という仮名文字に元に検索エンジンを検索した検索結果から、候補ランキングの順に所定数の文字候補を取得し、候補表示領域（ｂ）に表示した状態を示している。
【００４４】
ユーザがキー入力部２０を操作して、候補表示領域（ｂ）に表示された文字候補の中から、所望の文字（単語、表現）を選択することにより、選択された文字候補が入力文字として決定され（ステップＳ２０８）、決定された文字が表示部１９の入力文字領域（ａ）に表示される（ステップＳ２０９）。
【００４５】
図４の（Ｂ）では、候補表示領域（ｂ）に表示された文字候補の中から、「今日は」という文字が選択されて決定され、入力う文字領域（ａ）に表示された状態を示している。
【００４６】
また、決定した文字候補が候補用データベース２１に存在するかどうかを判別し（ステップＳ２１０）、存在しなければ、決定した文字候補を入力文字（仮名の「き」）と対応させて候補用データベース２１に登録する（ステップＳ２１１）。この候補用データベース２１に登録された文字候補は、ステップＳ２０３で、次に同じ文字が入力された場合の候補として使用される。
【００４７】
例えば、図４の例では、決定した文字候補「今日は」と入力文字の仮名「き」が対応付けて、候補用データベース２１に登録される。なお、検索エンジンによる検索の元となった文字が入力文字でなく、文字候補より決定された決定文字候補である場合には、当該決定文字候補と、次に検索された文字候補から選択決定された文字候補を対応付けて登録する。
【００４８】
ステップＳ２０３で、入力された文字（又は決定文字候補）に対応付けられた文字候補が候補用データベース２１に存在する場合、候補用データベース２１から入力文字に対応する文字候補を取得し（ステップＳ２１２）、取得した文字候補を選択文字領域（ｃ）に表示する（ステップＳ２１３）。
【００４９】
図４の（Ｃ）では、「き」という仮名文字に対応する文字候補「今日は」が、候補用データベース２１から取得され、選択文字領域（ｃ）に表示された状態を示している。
【００５０】
ユーザがキー入力部２０を操作して、選択文字領域（ｃ）に表示された文字候補から、所望の文字（単語、表現）を選択することにより、選択された文字候補が入力文字として決定され（ステップＳ２１４）、決定された文字が表示部１９の入力文字領域（ａ）に表示される（ステップＳ２１５）。
【００５１】
次いで、選択決定された文字候補が表示部１９の文字入力領域（ａ）に表示されると、次の文字の入力の有無が判定される（ステップＳ２１６）。次の文字入力があった場合には、ステップＳ２０３からの処理を繰り返す。
【００５２】
次の文字入力が無い場合、文字入力の終了が判定され（ステップＳ２１７）、文字入力の終了でない場合には、ステップＳ２０３に移行し、選択決定された文字情報を元に、選択決定した文字に続くと予想される次の候補をインターネット上の検索エンジンを利用して検索を行い、上述した処理を繰り返す。
【００５３】
図４の（Ｄ）は、図４の（Ａ）で候補表示領域（ｂ）から選択し、又は図４の（Ｃ）で選択文字領域（ｃ）から選択した文字「今日は」を元に、検索エンジを利用して検索を行った結果を候補ランキング順に示している。
【００５４】
また、図４の（Ｅ）に、図４の（Ｄ）に示す検索結果に基づいて候補ランキングの上位から所定数の文字候補を取得して候補表示領域（ｂ）に表示し、さらに候補表示領域（ｂ）の文字候補から「何の日」を選択した状態を示している。
【００５５】
（第１の実施の形態による効果）
本実施の形態によれば、ユーザが文字入力をする際の文字入力候補選択時に、入力した文字又は選択決定した文字を元に、インターネット上の検索エンジンを検索することにより、最も使われている最新の文字候補を取得して表示することが可能であるため、リアルタイムに最新の文字や言葉を入力候補として取得することができる。
【００５６】
また、文字候補としてふさわしいデータを利用できるだけでなく、文字入力候補の中に、現在世の中で流行している表現や、より多くの人が使用している表現を知ることできる。
【００５７】
また、文字候補をインターネットの検索エンジンが出力した結果から得るため、携帯端末装置内に膨大な辞書データをあらかじめ保持しておく必要がない。さらに、ユーザが選択決定した文字候補については、使用者が頻繁に使用する候補として候補用データベース２１に保存しておくことができるため、より最新の選択候補を素早く取得することが可能となる。
【００５８】
（第２の実施の形態）
次いで、本発明の第２の実施の形態について図面を参照して詳細に説明する。
【００５９】
第２の実施の形態による携帯端末装置１１の文字入力装置３０の構成を図５に示す。
【００６０】
本実施の形態では、文字候補検索部４１が検索するインターネット上の検索エンジンを、ユーザが予め設定する検索エンジン設定部４４を備えている点が、第１の実施の形態と相違する。この他の構成要素及び動作については、第１の実施の形態と同様であるので説明は省略する。
【００６１】
検索エンジン設定部４４には、図６の例に示すように、文字候補検索部４１が検索するインターネット上の検索エンジンを、優先度を付けて設定している。図６の例に限らず、特定の検索エンジを指定して設定するだけでもよい。
【００６２】
図６の例では、検索エンジンとして、国語辞典や外国語辞典としてインターネット上に提供されている辞書エンジン、オンライン百科事典、ニュースエンジンを、優先度の高い順に設定した場合を示している。
【００６３】
文字候補検索部４１では、インターネット上の検索エンジンを検索する場合に、検索エンジン設定部４４に設定された検索エンジンを優先度順に検索するようになる。
【００６４】
このような検索エンジン設定部４４を備えることにより、ユーザの好みに応じて検索エンジンを利用することができるようになり、よりユーザの希望する文字入力候補を取得することが可能となる。
【００６５】
また、検索エンジン設定部４４に、入力された仮名文字から検索する場合の検索エンジンと、選択決定した文字から検索する場合の検索エンジンを別々に設定するようにしてもよい。
【００６６】
図７の（Ａ）は入力された仮名文字用の検索エンジとして辞書エンジンを設定し、図７の（Ｂ）は選択決定した文字用の検索エンジンとして、オンライン百科事典やニュースエンジンを設定した例を示している。
【００６７】
このように、検索の対象となる文字の種類に応じて、より適切な検索を行うことができる検索エンジンを設定することにより、適切な文字候補をより効率的に検索して取得することができるようになる。
【００６８】
以上好ましい実施の形態と実施例をあげて本発明を説明したが、本発明は必ずしも、上記実施の形態及び実施例に限定されるものでなく、その技術的思想の範囲内において様々に変形して実施することができる。
【図面の簡単な説明】
【００６９】
【図１】本発明の第１の実施の形態による携帯端末装置の構成を示すブロック図である。
【図２】本発明の第１の実施の形態による携帯端末装置の文字入力装置の構成を示すブロック図である。
【図３】本発明の第１の実施の形態による携帯端末装置の文字入力装置における動作を説明するフローチャートである。
【図４】本発明の第１の実施の形態による携帯端末装置の文字入力装置における文字入力時の表示例を示す図である。
【図５】本発明の第２の実施の形態による携帯端末装置の文字入力装置の構成を示すブロック図である。
【図６】本発明の第２の実施の形態による携帯端末装置の文字入力装置における検索エンジン設定部の内容例を示す図である。
【図７】本発明の第２の実施の形態による携帯端末装置の文字入力装置における検索エンジン設定部の内容例を示す図である。
【符号の説明】
【００７０】
１１：携帯端末装置
１２：ＣＰＵ
１３：バス
１４：ＲＯＭ
１５：作業用メモリ
１６：候補用メモリ
１７：送受信部
１８：表示制御部
１９：表示部
２０：キー入力部
２１：候補用データベース
２２：仮名漢字変換辞書
３０：文字入力装置
４０：文字入力変換処理部
４１： 文字候補検索部
４２：文字候補取得部
４３：文字候補選択部
４４：検索エンジン設定部
５０：仮名漢字変換用辞書
【図１】
2009223782.tif 000003
【図２】
2009223782.tif 000004
【図３】
2009223782.tif 000005
【図４】
2009223782.tif 000006
【図５】
2009223782.tif 000007
【図６】
2009223782.tif 000008
【図７】
2009223782.tif 000009